(57)【要約】【課題】デジタル放送のＣＡＴＶ網への再送信を行う送信装置に於いて、内部の制御プログラムの変更時、もしくは内部の処理部の停止時に、装置からの出力を維持すること。【解決手段】ＣＰＵ１５１の制御プログラム変更時、もしくはＣＰＵ１５１の停止時は出力データ処理部１６が番組情報制御部１５のＤＰＲＡＭ１５２の入力データ用のキュー領域を参照して入力データ処理部１４より書き込まれたＴＳパケットを読み出し、時刻情報の書き替え、ＣＡＴＶの伝送帯域に合わせるための速度変換を行い、さらにＰＩＤによるフィルタリングを行い特定データの保持していたデータとの置換を行って出力する。【選択図】図７
2006080951.tif 000002
【特許請求の範囲】
【請求項１】
デジタル放送波を変調変換してＣＡＴＶ網に再送信するＣＡＴＶ再送信システムにおいて、
デジタル放送波を受信する受信手段と、
前記受信手段で受信した信号を処理する入力データ処理手段と、
前記入力データ処理手段で処理されたデータに含まれる番組情報や時刻情報をＣＡＴＶ向けに書き換える番組情報処理手段と、
前記番組情報処理手段で処理されたデータをＣＡＴＶ網にあった速度に変換して出力するための出力データ処理手段と、
内部の一部あるいは全部の処理手段の処理プログラムを書き換えるプログラム変更手段と、
プログラム変更処理が開始されることを検出するプログラム変更処理検出手段と、
プログラム変更が開始されると変更されないデータ処理手段へと処理内容を切り替える処理内容切り替え手段を具備し、
一部のデータ処理手段の動作をプログラム変更のために停止した時には他のデータ処理手段への処理に切り替えてＣＡＴＶへの送信処理を継続することを特徴とする送信装置。
【請求項２】
デジタル放送波を変調変換してＣＡＴＶ網に再送信するＣＡＴＶ再送信システムにおいて、
デジタル放送波を受信する受信手段と、
前記受信手段で受信した信号を処理する入力データ処理手段と、
前記入力データ処理手段で処理されたデータに含まれる番組情報や時刻情報をＣＡＴＶ向けに書き換える番組情報処理手段と、
前記番組情報処理手段で処理されたデータをＣＡＴＶ網にあった速度に変換して出力するための出力データ処理手段と、
各処理手段の動作を監視する監視手段と、
一部のデータ処理手段の動作が停止すると動作している他のデータ処理手段へと処理内容を切り替える処理内容切り替え手段を具備し、
一部のデータ処理手段の動作が停止した場合には他のデータ処理手段への処理に切り替えてＣＡＴＶへの送信処理を継続することを特徴とする送信装置。
【請求項３】
前記番組情報処理手段の動作停止中は、前記入力データ処理手段は処理データをそのまま前記出力データ処理手段に送り、前記出力データ処理手段にて速度変換を行うことを特徴とする請求項１及び請求項２記載の送信装置。
【請求項４】
時刻情報を監視する時刻情報監視手段と、時刻情報を生成する時刻情報生成手段を具備し、前記番組情報処理手段の動作停止中は前記入力データ処理手段から送られてくる信号から時刻情報を検出し、前記時刻情報生成手段で生成した時刻をもとに時刻情報を付け直すことを特徴とする請求項１から請求項３記載の送信装置。
【請求項５】
請求項１記載の出力データ処理手段は出力される番組情報を保持し、前記番組情報処理手段の動作停止中は、前記出力データ処理手段は前記入力データ処理手段から送られてきたデータに含まれる番組情報を動作停止以前に保持した番組情報と置き換えることを特徴とする請求項１から請求項４記載の送信装置。
【請求項６】
前記出力データ処理手段はデータ保持手段を具備し、他の処理手段が通常の処理動作を停止している際には特定データを出力し続けることを特徴とする請求項１から請求項５記載の送信装置。
【請求項７】
前記データ保持手段が保持する情報とはＮｕｌｌパケットであることを特徴とする請求項６記載の送信装置。
【請求項８】
前記データ保持手段が保持する情報とは時刻情報であることを特徴とする請求項６記載の送信装置。
【請求項９】
前記データ保持手段が保持する情報とは番組情報であることを特徴とする請求項６記載の送信装置。
【請求項１０】
前記データ保持手段は特定情報として請求項７から請求項９記載の特定情報を複数保持することを特徴とする請求項１から請求項９記載の送信装置。
【発明の詳細な説明】
【技術分野】
【０００１】
本発明は、デジタル放送を変調変換してＣＡＴＶに再送信する装置に於いて、内部の処理プログラムの書き換え時、及び内部の一部処理機能停止時の処理に関するものである。
【背景技術】
【０００２】
現在、ＣＡＴＶ事業者では放送サービスのデジタル化に伴い設備のデジタル化を進めており、これまでに衛星放送であるＢＳデジタル放送や東経１１０度ＣＳデジタル放送（以下１１０ＣＳ放送）、さらに地上デジタル放送のデジタル再送信をスタートさせてきている。これらのデジタル放送をＣＡＴＶへ再送信する方式としてはいくつかが提案されているが、その中でも変調変換、またはトランスモジュレーションと呼ばれる方式は、比較的安価且つ効率よくデジタル放送の全てのサービスを伝送することができるため、デジタル放送の再送信での主流となっている。以下、このようなデジタル放送を変調変換して再送信するデジタルＣＡＴＶシステムで用いられる従来の送信装置について図８を参照して簡単に説明する。
【０００３】
図８に於いて放送信号は、アンテナ１０１及び伝送路１０２を経由して、放送受信部１０３、入力データ処理部１０４、番組情報処理部１０５、出力データ処理部１０６の各機能ブロックが制御部１０７により制御されている送信装置１０に入力されている。入力された放送信号は、放送受信部１０３で復調されトランスポートストリーム（以下ＴＳと記す）データとして出力される。このＴＳデータは入力データ処理部１０４にて同期処理が行われ、ＴＳパケット単位での認識・分離が行われる。次に、ＴＳパケット単位となった放送データは番組情報処理部１０５にてＣＡＴＶに再送信するデータの選択、物理周波数情報や時刻情報の変更処理、ＣＡＴＶの伝送帯域に合わせた速度に変換処理等が行われる。そして、出力データ処理部１０６にてＣＡＴＶ網へ送出するためデータストリームとして同期処理が行われて送信装置１０より出力される。送信装置１０より出力されたＴＳデータは変調器１０８にて規定の変調処理が施されてＣＡＴＶの伝送路網へと出力される。
【特許文献１】特開２０００−１７４８１３号公報
【発明の開示】
【発明が解決しようとする課題】
【０００４】
ここで、制御部１０７は一般的には制御手順を記述したプログラムにより動作しているが、何らかの不具合の改修、あるいは機能追加等で制御手順を変更するためには、このプログラムを別のものに変更する必要がある。
【０００５】
しかしながら、従来の構成ではプログラムを変更するにあたっては上記放送受信部１０３、入力データ処理部１０４、番組情報処理部１０５、出力データ処理部１０６の制御を停止しなければならず、その場合、送信装置１０からの放送データ出力が停止することとなる課題を有していた。これはＣＡＴＶ事業者にとってはサービスを停止することになり、極力避けたいところである。
【０００６】
また、不測の事態で制御部１０７の動作が停止した場合も、同様に送信装置１０からの放送データ出力が停止することになり、サービスの停止となる問題があった。
【課題を解決するための手段】
【０００７】
前記従来の課題を解決するために、本発明の送信装置は、デジタル放送波を受信する受信手段と、前記受信手段で受信した信号を処理する入力データ処理手段と、前記入力データ処理手段で処理されたデータに含まれる番組情報や時刻情報をＣＡＴＶ向けに書き換える番組情報処理手段と、前記番組情報処理手段で処理されたデータをＣＡＴＶ網にあった速度に変換して出力するための出力データ処理手段と、内部の一部あるいは全部の処理手段の処理プログラムを書き換えるプログラム変更手段と、プログラム変更処理が開始されることを検出するプログラム変更処理検出手段と、プログラム変更が開始されると変更されない処理手段へと処理内容を切り替える処理内容切り替え手段を有し、一部の処理手段のプログラム変更時には他の処理手段への処理に切り替えてＣＡＴＶへの送信処理を継続することを特徴とする。
【０００８】
また、前記デジタル放送波を受信する受信手段と、前記受信手段で受信した信号を処理する入力データ処理手段と、前記入力データ処理手段で処理されたデータに含まれる番組情報や時刻情報をＣＡＴＶ向けに書き換える番組情報処理手段と、前記番組情報処理手段で処理されたデータをＣＡＴＶ網にあった速度に変換して出力するための出力データ処理手段の動作を監視する手段を備えることで、一部の処理手段の動作が不測的に停止した場合は動作している他の処理手段へと処理内容を切り替えることにより、ＣＡＴＶへの送信処理を継続することを可能とする。
【０００９】
処理手段の切り替えとしては、前記番組情報処理手段の動作停止中には前記入力データ処理手段が処理データをそのまま前記出力データ処理手段に送り、前記出力データ処理手段にて速度変換を行う方法がある。
【００１０】
また、信号データに含まれる時刻情報を監視する時刻情報監視手段と、時刻情報を生成する時刻情報生成手段を備えることにより、前記番組情報処理手段の動作が停止した場合に、前記出力データ処理手段にて前記入力データ処理手段から送られてくる信号から時刻情報を検出し、前記時刻情報生成手段で生成した時刻をもとに時刻情報を付け直すことで受信機での再生が継続して可能となる。
【００１１】
また、前記出力データ処理手段に、前記番組情報処理手段より出力される番組情報を保持する機能を備えることにより、前記番組情報処理手段の動作が停止した場合は、前記出力データ処理手段にて前記入力データ処理手段から送られてくる処理データの番組情報を保持している番組情報と置き換えることで運用を継続することが可能となる。
【００１２】
また、前記出力データ処理手段にデータ保持手段を備え、他の処理手段が通常の処理動作を停止している際には特定データを出力し続けることで、受信機を含む、後段に接続される系の動作を最低限に保証することが可能である。
【００１３】
この特定データがＮＵＬＬパケットである場合は変調器の動作異常を防ぐことが可能となり、また更に特定データに時刻情報が加わった場合は放送データ送出再開時に受信機での再生復帰をスムーズに行うことが可能となり、また更に特定データに番組情報が加わった場合は受信機の選局設定が可能となる。
【発明の効果】
【００１４】
本発明の送信装置によれば、内部の一部の処理手段の処理プログラムの書き換えを検出する、あるいは処理手段の動作を監視して一部の処理手段が停止したことを検出した際に、放送データの処理を動作中の他のデータ処理手段に振り返ることにより、処理の停止による運用の中断を避けることができる。
【００１５】
また、入力データ処理手段と出力データ処理手段に時刻情報を監視する手段を設けることにより、番組情報処理部が停止した際に出力データ処理手段にて時刻情報の補正を行うことにより受信機でのスムーズな再生の継続が可能となる。
【００１６】
また、出力データ処理手段にデータ保持機能を持たせ、番組情報処理部の動作が停止した際にそのデータを出力することにより、運用の継続あるいは後段に接続される変調器や受信機の異常動作を防ぐことができる。
【発明を実施するための最良の形態】
【００１７】
以下本発明の実施の形態について、図面を参照しながら説明する。
【００１８】
（実施の形態１）
図１は、本発明の実施の形態１における送信装置の構成図の一例である。図１において、実施の形態１に係る送信装置１は、放送受信部１３と、入力データ処理部１４と、番組情報処理部１５と、出力データ処理部１６と、動作モード切り替え部１７と、動作モード検出部１８と、プログラムデータ入力部１９とを備える。また、番組情報処理部１５は、ＣＰＵ（Ｃｅｎｔｒａｌ  Ｐｒｏｃｅｓｓｉｎｇ  Ｕｎｉｔ）１５１と、ＤＰＲＡＭ（Ｄｕａｌ  Ｐｏｒｔ  Ｒａｎｄｏｍ  Ａｃｃｅｓｓ  Ｍｅｍｏｒｙ）１５２と、制御プログラム格納用のメモリ１５３とを備える。なお、本例では番組情報処理部のＣＰＵ１５１で、放送受信部１３と、入力データ処理部１４と、出力データ処理部１６の制御をも行っているが、別の制御装置を使用しても良い。以下図１を用いて送信装置１の動作を説明する。
【００１９】
通常運用状態に於いて、アンテナ１１及び伝送路１２を経由して送信装置１に入力された放送信号は、放送受信部１３で復調されＴＳデータとして出力される。このＴＳデータは入力データ処理部１４にて同期処理が行われ、ＴＳパケット単位で認識・分離されて番組情報処理部１５のＤＰＲＡＭ１５２経由でＣＰＵ１５１に読み出される。ＣＰＵ１５１は読み出したＴＳパケットを、ＰＩＤ（Ｐａｃｋｅｔ  Ｉｄｅｎｔｉｆｉｃａｔｉｏｎ：パケット識別子）によるフィルタリングを行いデータの選択、ＮＩＴ（Ｎｅｔｗｏｒｋ  Ｉｎｆｏｒｍａｔｉｏｎ  Ｔａｂｌｅ）などの番組情報データの置き換え、時刻情報の書き換えを行い、さらにＣＡＴＶの伝送帯域に合わせるためのタイミング制御を行いながらＤＰＲＡＭ１５２へデータを書き込む。出力データ処理部１６はＣＰＵ１５１から指定されたＴＳパケットをＣＡＴＶの伝送帯域に合わせた速度でＤＰＲＡＭ１５２から読み出し、ストリームデータとして出力する。送信装置１より出力されたＴＳデータは、変調器４にて規定の変調処理が施されてＣＡＴＶの伝送路網へと出力される。
【００２０】
ここで、入力データ処理部１４と、番組情報処理部１５のＣＰＵ１５１及びＤＰＲＡＭ１５２と、出力データ処理部１６との間のデータの書き込み、読み出し処理について図２を用いて説明する。図２に於いて、入力データ処理部１４は書き込みのタイミングで、番組情報処理部１５のＤＰＲＡＭ１５２内の入力キュー１５２ａのフラグ領域１５２ｂのフラグが  “０”であれば、データを格納するアドレス情報を入力キュー１５２ａのアドレス領域１５２ｃに書き込み、フラグ領域１５２ｂにフラグ“１”を立てる。一方、ＣＰＵ１５１は読込のタイミングで、ＤＰＲＡＭ１５２内の入力キュー１５２ａのフラグ領域１５２ｂのフラグが“１”であればアドレス領域１５２ｃを参照してＴＳパケット格納領域１５２ｄの該当アドレスよりデータを読み出して、フラグ領域１５２ｂのフラグを“０”に戻す。以上の動作を繰り返すことで番組情報処理部１５は入力データ処理部１４からデータを読み出す。次に、ＣＰＵ１５１は処理の終わったデータを書き込みのタイミングでＤＰＲＡＭ１５２内の出力キュー１５２ｅのフラグ領域１５２ｆのフラグが  “０”であれば、データを格納するアドレス情報を出力キュー１５２ｅのアドレス領域１５２ｇに書き込み、フラグ領域１５２ｆにフラグ“１”を立てる。一方、出力データ処理部１６は読込のタイミングで、ＤＰＲＡＭ１５２内の出力キュー１５２ｅのフラグ領域１５２ｆのフラグが“１”であればアドレス領域１５２ｇを参照してＴＳパケット格納領域１５２ｄの該当アドレスよりデータを読み出して、フラグ領域１５２ｆのフラグを“０”に戻す。以上の動作を繰り返すことで出力データ処理部１６は番組情報処理部１５からデータを読み出す。
【００２１】
次に、番組情報処理部のＣＰＵ１５１はメモリ１５３に格納されている制御プログラムに従って動作しているが、この制御プログラムを変更する場合の動作を、図１を用いて説明する。図１に於いて、動作モード切り替え部１７をプログラム変更モードに設定を切り替えると、それを検出した動作モード検出部１８がＣＰＵ１５１へ通知することでＣＰＵ１５１はプログラム変更モードに切り替わり、メモリ１５３をクリアした後、プログラム入力部１９からのデータをメモリ１５３に書き込む。
【００２２】
ここで、動作モード検出部１８がＣＰＵ１５１へプログラム変更モードへの切り替わりを通知するのと合わせて、出力データ処理部１６へも通知することにより、出力データ処理部１６は、番組情報処理部１５のＣＰＵ１５１がＤＰＲＡＭ１５２に書き込んだＴＳデータを読み出さず、入力データ処理部１４がＤＰＲＡＭ１５２に書き込んだＴＳデータをそのまま読み出すことで、番組情報処理を行わず入力側のデータを出力側にスルーさせることができる。このときの動作を図２を用いて説明すると、出力データ処理部１６は、上記図１の動作モード検出部１８からプログラム変更モードへの切り替わりを通知されると、番組情報処理部１５のＣＰＵ１５１がＴＳデータを書き込んだアドレスの情報が存在するＤＰＲＡＭ１５２の出力キュー１５２ｅを参照せず、入力データ処理部１４がＤＰＲＡＭ１５２に書き込んだＴＳパケットのアドレス情報が存在する入力キュー１５２ａを参照するように切り替えてデータの読み出しを行う。以上により、入力データ処理部１４がＤＰＲＡＭ１５２に書き込んだＴＳデータを、出力データ処理部１６はそのまま読み出すことが可能となる。
【００２３】
なお、別の方法としては、予め入力データ処理部１４の出力と出力データ処理部１６の入力のデータ線を接続しておき、ＣＰＵ１５１がプログラム変更モードに切り替わった際に入力データ処理部１４の出力から出力データ処理部１６の入力へ直接ＴＳデータを送ることでも可能である。
【００２４】
しかしながら、入力側の放送データそのままではＣＡＴＶ側の伝送帯域容量と異なるので、伝送速度の変換が必要となる。これは、出力データ処理部１６にて運用モード時のＣＰＵ１５１の設定を保持しておき、ＣＰＵ１５１がプログラム変更モードに切り替わった場合には、出力データ処理部１６で保持していた設定に従って入力側からのＴＳデータのパケットフィルタリングを行ってＣＡＴＶ側へ送出するパケットの取捨選択を行い、更にＣＡＴＶの伝送帯域に合わせるために必要に応じてＮＵＬＬパケットの挿入を行うことで実現する。しかしながら、速度変換を行うと図３のように速度変換後のＴＳパケットの位置（ｂ）が元の放送データ（ａ）の時と変わるので時刻情報の補正が必要となる。そこで、図１の第１の実施形態に係る送信装置１を一部を抜粋した図４及び図５を用いて時刻情報の補正方法の例を説明する。なお、図４は通常運用時の動作、図５は図１のＣＰＵ１５１がプログラム変更モードに切り替わった場合の動作を示す。
【００２５】
図４に於いて、通常運用時には入力データ処理部１４に入力された時刻情報Ｔｉｎを持ったＴＳパケットは、番組情報処理部１５のＤＰＲＡＭ１５２を経由してＣＰＵ１５１へ送られ、速度変換処理が行われた際にＴｏｕｔという時刻情報に付け替えられて出力データ処理部１６へと出力される。このとき、入力データ処理部１４内の時刻情報検出部１４１にて、上記時刻情報を持ったＴＳパケットから時刻情報Ｔｉｎを抽出し、それを出力データ処理部１６へ通知するようにする。また、出力データ処理部１６では、時刻情報検出部１６１にて、ＣＰＵ１５１からＤＰＲＡＭ１５２経由で読み出した時刻情報を持ったＴＳパケットから時刻情報Ｔｏｕｔを抽出し、上記入力データ処理部１４内の時刻情報検出部１４１より通知される時刻情報Ｔｉｎとともに減算回路１６１に入力することで、ＣＰＵ１５１での時刻補正量ΔＴ（＝Ｔｏｕｔ−Ｔｉｎ）を算出してメモリ１６２に記憶する。
【００２６】
次に、ＣＰＵ１５１がプログラム変更モードに切り替わった場合には図５に於いて、入力データ処理部１４より番組情報処理部１５のＤＰＲＡＭ１５２に書き込まれたＴＳパケットを、出力データ処理部１６はそのまま番組情報処理部１５のＤＰＲＡＭ１５２より読み出し、時刻情報検出部１６１にて時刻情報Ｔｉｎを抽出する。そして抽出した時刻情報Ｔｉｎと、メモリ１６２に運用時に記憶させておいた番組情報処理部１５のＣＰＵ１５１での時刻補正量ΔＴとを加算回路１６４へ入力することで、通常運用時と同じ補正後の時刻情報Ｔｏｕｔ（＝Ｔｉｎ＋ΔＴ）を算出し、時刻情報書き替え部１６５にてＣＰＵ１５１からＤＰＲＡＭ１５２経由で読み出したＴＳパケットの元の時刻情報Ｔｉｎを、この補正時刻情報Ｔｏｕｔに書き替える。また、併せて出力データ処理部１６は時刻補正量ΔＴにより補正された時刻情報Ｔｏｕｔの値と整合するようにＮＵＬＬパケットを挿入してデータの出力タイミングの制御を行う。
【００２７】
以上により、番組情報処理部１５のＣＰＵ１５１が通常運用モードからプログラム変更モードに切り替わった際に、入力データ処理部１４より番組情報処理部１５のＤＰＲＡＭ１５２に書き込まれたＴＳパケットを、出力データ処理部１６がそのまま番組情報処理部１５のＤＰＲＡＭ１５２より読み出し、さらに出力データ処理部１６にて時刻情報の補正及び速度変換処理を行ってストリームデータとして出力することで、変調器４によって規定の変調処理が施された再送信データが継続してＣＡＴＶ伝送路網へと出力され、運用を継続することが可能となる。
【００２８】
次に、番組情報処理部１５のＣＰＵ１５１がプログラム変更モードにてメモリ１５３に格納されている制御プログラムの変更が完了した後、元の通常運用モードに戻る場合の動作を、図１を用いて説明する。図１に於いて、制御プログラムの変更が完了し、動作モード切り替え部１７を通常運用モードに設定を切り替えると、それを検出した動作モード検出部１８がＣＰＵ１５１へ通知することでＣＰＵ１５１は通常運用モードに切り替わり、ＤＰＲＡＭ１５２の入力データ用のキュー領域を参照してＴＳパケットの読み出しを開始する。継いで、ＣＰＵ１５１にてＴＳパケットのフィルタリング、速度変換、時刻情報の補正を行い、ＤＰＲＡＭ１５２に処理後のＴＳパケットを書き戻し、そのアドレス情報をＤＰＲＡＭ１５２の出力データ用のキュー領域に記録する。このとき、出力データ処理部１６は、上記出力データ用のキュー領域が埋まるまでは、プログラム変更モード時の動作を並行して継続し、出力データ用のキュー領域が埋まったことをＣＰＵ１５１から通知された段階で、ＤＰＲＡＭ１５２の出力データ用のキュー領域を参照してＣＰＵ１５１にて処理されたＴＳパケットを読み出すようにする。
【００２９】
以上により、番組情報処理部１５のＣＰＵ１５１がプログラム変更モードにてメモリ１５３に格納されている制御プログラムの変更が完了した後、元の通常運用モードに戻る場合に於いても、ＣＡＴＶ伝送路に送出するデータのスムーズな復旧が可能となる。
【００３０】
（実施の形態２）
上記実施の形態１においては番組情報処理部の制御プログラムを変更する場合について説明した。次に、本発明の実施の形態２では、番組情報処理部のＣＰＵ動作が停止した場合に、入力された放送データを出力側にバイパスさせることでＣＡＴＶ伝送路網への再送信を継続する送信装置を提供する。
【００３１】
図６は、本発明の実施の形態２における送信装置の構成図の一例である。図６において、実施の形態２に係る送信装置２は、放送受信部１３と、入力データ処理部１４と、番組情報処理部１５と、出力データ処理部１６と、動作監視部２１とを備える。また、番組情報処理部１５は、ＣＰＵ１５１と、ＤＰＲＡＭ１５２とを備える。なお、本例では番組情報処理部のＣＰＵ１５１で、放送受信部１３と、入力データ処理部１４と、出力データ処理部１６の制御をも行っているが、別の制御装置を使用しても良い。また、第２の実施形態の送信装置２に於いて、上記実施の形態１に係る送信装置１と同一の構成部分については、同一の参照番号を付している。以下図６を用いて送信装置２の動作を説明する。
【００３２】
通常運用状態に於いて、アンテナ１１及び伝送路１２を経由して送信装置２に入力された放送信号は、放送受信部１３で復調されＴＳデータとして出力される。このＴＳデータは入力データ処理部１４にて同期処理が行われ、ＴＳパケット単位で認識・分離されて番組情報処理部１５のＤＰＲＡＭ１５２に書き込まれる。その際、入力データ処理部１４は番組情報処理部１５のＤＰＲＡＭ１５２に設けた入力データ用のキュー領域にＴＳパケットを書き込んだアドレス情報を記録する。そしてＣＰＵ１５１は上記入力データ用のキュー領域を参照して入力データ処理部１４より書き込まれたＴＳパケットを読み出し、ＰＩＤによるフィルタリングを行いデータの選択、ＮＩＴなどの番組情報データの置き換え、時刻情報の書き替え、ＣＡＴＶの伝送帯域に合わせるための速度変換を行い、再びＤＰＲＡＭ１５２に書き戻す。このとき、ＣＰＵ１５１はＴＳパケットを書き込んだアドレスをＤＰＲＡＭ１５２の出力データ用のキュー領域に記録し、出力データ処理部１６は上記出力データ用のキュー領域を参照することによりＣＰＵ１５１から指定されたＴＳパケットをＣＡＴＶの伝送帯域に合わせた速度でＤＰＲＡＭ１５２から読み出し、ストリームデータとして出力する。送信装置２より出力されたＴＳデータは、変調器４にて規定の変調処理が施されてＣＡＴＶの伝送路網へと出力される。
【００３３】
ここで、上記の通りＤＰＲＡＭ１５２の出力データ用のキュー領域には、ＣＰＵ１５１によりＴＳパケットのアドレスが継続的に書き込まれているが、この動作を動作監視部２１により監視を行うようにする。すなわち、ＣＰＵ１５１の動作が停止してＤＰＲＡＭ１５２の出力データ用のキュー領域への書き込みが行われなくなった場合は、動作監視部２１がそのことを検知して出力データ処理部１６へ通知する。すると、出力データ処理部１６は、それまでＤＰＲＡＭ１５２の出力データ用のキュー領域を参照してＴＳパケットを読み出していたのを、ＤＰＲＡＭ１５２の入力データ用のキュー領域を参照してＴＳパケットを読み出すように切り替え、さらに読み出したＴＳパケットのフィルタリング、時刻情報の補正、速度変換を行ってストリームデータとして出力する。
【００３４】
以上の動作により、番組情報処理部１５のＣＰＵ１５１の動作が停止した場合に於いても、動作監視部２１がそのことを検出して、ＴＳパケットのフィルタリング、時刻情報補正、速度変換の処理を出力データ処理部１６に切り替えることで、ＣＡＴＶ伝送路網の傘下にある受信機は継続して受信が可能となる。
【００３５】
（実施の形態３）
本発明の実施の形態３では出力データ処理部に特定のデータを記憶させ、番組情報処理部の制御プログラム変更時、あるいは番組情報処理部のＣＰＵや入力側デバイスの動作停止等の異常発生時に、出力データ処理部に記憶させた特定データを出力することで、受信機の選局設定を可能とし、また、変調器の動作異常を回避することを可能とする送信装置を提供する。
【００３６】
図７は、本発明の実施の形態３における送信装置の構成図の一例である。図７において、実施の形態３に係る送信装置３は、放送受信部１３と、入力データ処理部１４と、番組情報処理部１５と、出力データ処理部１６と、動作モード切り替え部１７と、動作モード検出部１８と、プログラムデータ入力部１９と、動作監視部２１とを備える。また、番組情報処理部１５は、ＣＰＵ１５１と、ＤＰＲＡＭ１５２と、制御プログラム格納用のメモリ１５３とを備え、さらに出力データ処理部１５はＴＳパケットをフィルタリングするフィルタリング部１６６と、フィルタリング部１６６でフィルタリングを行って抽出したＴＳパケットデータを保持するメモリ１６７とを備える。なお、本例では番組情報処理部１５のＣＰＵ１５１で、放送受信部１３と、入力データ処理部１４と、出力データ処理部１６の制御をも行っているが、別の制御装置を使用しても良い。また、実施の形態３の送信装置３に於いて、上記実施の形態１に係る送信装置１及び実施の形態２に係る送信装置２と同一の構成部分については、同一の参照番号を付している。以下図７を用いて送信装置３の動作を説明する。
【００３７】
通常運用状態に於いて、アンテナ１１及び伝送路１２を経由して送信装置２に入力された放送信号は、放送受信部１３で復調されＴＳデータとして出力される。このＴＳデータは入力データ処理部１４にて同期処理が行われ、ＴＳパケット単位で認識・分離されて番組情報処理部１５のＤＰＲＡＭ１５２に書き込まれる。その際、入力データ処理部１４は番組情報処理部１５のＤＰＲＡＭ１５２に設けた入力データ用のキュー領域にＴＳパケットを書き込んだアドレス情報を記録する。そしてＣＰＵ１５１は上記入力データ用のキュー領域を参照して入力データ処理部１４より書き込まれたＴＳパケットを読み出し、ＰＩＤによるフィルタリングを行いデータの選択、ＮＩＴなどの番組情報データの置き換え、時刻情報の書き替え、ＣＡＴＶの伝送帯域に合わせるための速度変換を行い、再びＤＰＲＡＭ１５２に書き戻す。このとき、ＣＰＵ１５１はＴＳパケットを書き込んだアドレスをＤＰＲＡＭ１５２の出力データ用のキュー領域に記録し、出力データ処理部１６は上記出力データ用のキュー領域を参照することによりＣＰＵ１５１から指定されたＴＳパケットをＣＡＴＶの伝送帯域に合わせた速度でＤＰＲＡＭ１５２から読み出し、ストリームデータとして出力する。送信装置３より出力されたＴＳデータは、変調器４にて規定の変調処理が施されてＣＡＴＶの伝送路網へと出力される。
【００３８】
ここで、出力データ処理部１６が番組情報処理部１５のＤＰＲＡＭ１５２に設けた出力データ用のキュー領域のアドレス情報を参照してＴＳパケットを読み出した際に、出力データ処理部１６のフィルタリング部１６６にてＮＵＬＬ、時刻情報、ＮＩＴなどの番組情報等の特定データをＰＩＤを参照して抽出し、出力データ処理部１６のメモリ１６７に格納する。また、このときデータの更新番号も合わせて参照し、データの更新が行われた場合にはメモリ１６７へ格納し直すようにする。
【００３９】
次に、番組情報処理部１５のＣＰＵがグラム変更モードに切り替わった、あるいは動作が停止した場合についての動作を説明する。出力データ処理部１６は、動作モード検出部１８より動作モードの変更の通知、もしくは動作監視部２１よりＣＰＵ１５１の動作異常の通知を受け取ると、ＤＰＲＡＭ１５２よりＴＳパケットを読み出すためのアドレス情報の参照先を、出力データ用のキュー領域から入力データ用のキュー領域へと切り替え、さらに読み出したＴＳパケットデータのフィルタリングを行ってＣＡＴＶ側へ送出するパケットの取捨選択、時刻情報の補正、速度変換を行うが、このとき、合わせて出力データ処理部１６のメモリ１６７に格納していた番組情報を読み出して、入力側よりバイパスされた放送データに元々含まれていたＮＩＴなどの番組情報との置換を行う。以上により、ＣＡＴＶの伝送路網に再送信される放送データにＣＡＴＶ用の番組情報が含まれるようになるので、受信機は選局の設定が可能となる。
【００４０】
また、入力データ処理部１４よりＴＳデータが出力されなくなった場合については、ＤＰＲＡＭ１５２の出力データ用のキュー領域、及び入力データ用のキュー領域の何れからもアドレス情報の読み出しができなくなるので、そのとき出力データ処理部１６はメモリ１６７に格納していたＮＵＬＬデータとＮＩＴなどの番組情報、あるいは時刻情報、あるいはそれら全てをＴＳデータとしてＣＡＴＶ側の伝送帯域容量に合わせた速度で出力する。以上により、変調器４では動作異常の回避、また、受信機では、番組情報の取得あるいはシステムクロックの再生を可能とすることによる復旧時の早期のデータ再生が期待できる。なお、番組情報に関しては、ＮＩＴのほかにＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）などでも同様の効果があり、これに限らない。
【産業上の利用可能性】
【００４１】
本発明のデジタルＣＡＴＶ用送信装置は、内部の一部の処理手段の処理プログラムの書き換えを検出する、あるいは処理手段の動作を監視して一部の処理手段が停止したことを検出した際に、放送データの処理を動作中の他の処理手段に切り替えることにより、処理の停止による運用の中断を避けることができる、また、入力データ処理手段と出力データ処理手段に時刻情報を監視する手段を設けることにより、番組情報処理部が停止した際に出力データ処理手段にて時刻情報の補正を行うことにより受信機でのスムーズな再生の継続が可能となる、また、出力データ処理手段にデータ保持機能を持たせ、番組情報処理部の動作が停止した際にそのデータを出力することにより、運用の継続あるいは後段に接続される変調器や受信機の異常動作を防ぐことができるという効果を有し、デジタル放送を変調変換してＣＡＴＶに再送信する装置に於ける、内部の処理プログラムの書き換え時、及び内部の一部処理機能停止時の処理等として有用である。
【図面の簡単な説明】
【００４２】
【図１】本発明の実施の形態１に係るデジタルＣＡＴＶ用送信装置の構成を示すブロック図
【図２】図１の入力データ処理部１４と、番組情報処理部１５と、出力データ処理部１６との間のデータの書き込み、読み出し処理を示す図
【図３】図１の出力データ処理部１６で行うＴＳデータの速度変換処理の一例を示す図
【図４】通常運用時に図１の入力データ処理部１４と、番組情報処理部１５と、出力データ処理部１６との間で行う、時刻情報の補正値を出力データ処理部１６で保持する処理を示す図
【図５】番組情報処理部１５のプログラム変更時に図１の出力データ処理部１６で行う時刻情報の補正処理を示す図
【図６】本発明の実施の形態２に係るデジタルＣＡＴＶ用送信装置の構成を示すブロック図
【図７】本発明の実施の形態３に係るデジタルＣＡＴＶ用送信装置の構成を示すブロック図
【図８】従来のデジタルＣＡＴＶ用送信装置の構成を示すブロック図
【符号の説明】
【００４３】
１，２，３，１０    デジタルＣＡＴＶ用送信装置
４，１０８    変調部
１１，１０１    アンテナ
１２，１０２    伝送路
１３，１０３    放送受信部
１４，１０４    入力データ処理部
１５，１０５    番組情報処理部
１６，１０６    出力データ処理部
１７    動作モード切り替え部
１８    動作モード検出部
１９    プログラム入力部
２１    動作監視部
１０７    制御部
１４１，１６１    時刻情報検出部
１５１    ＣＰＵ
１５２    ＤＰＲＡＭ
１５２ａ    入力キュー
１５２ｂ，１５２ｆ    フラグ領域
１５２ｃ，１５２ｇ    アドレス領域
１５２ｄ    ＴＳパケット格納領域
１５２ｅ    出力キュー
１５３，１６２，１６７    メモリ
１６３    減算回路
１６４    加算回路
１６６    フィルタリング部
【図１】
2006080951.tif 000003
【図２】
2006080951.tif 000004
【図３】
2006080951.tif 000005
【図４】
2006080951.tif 000006
【図５】
2006080951.tif 000007
【図６】
2006080951.tif 000008
【図７】
2006080951.tif 000009
【図８】
2006080951.tif 000010